【手続補正書】
【提出日】平成19年5月10日(2007.5.10)
【手続補正１】
【補正対象書類名】特許請求の範囲
【補正対象項目名】全文
【補正方法】変更
【補正の内容】
【特許請求の範囲】
【請求項１】
１日単位での記入欄を含む日計単票用紙と、上記日計単票用紙のほぼ２倍の大きさで２つ折り可能な大判用紙とを少なくとも含み、所定の綴じ具により上記大判用紙および上記日計単票用紙がこの順序で綴じられている手帳であって、
上記大判用紙の自由端側半頁の一方の面は綴じ具側半頁の表面側に折り畳まれた際に上
記日計単票用紙と見開き状態とされ、上記自由端側半頁の一方の面には月間カレンダーが印刷されており、上記月間カレンダーと上記日計単票用紙に記載されている１日単位での記入欄とが突き合わせ状態で同時に視認可能であることを特徴とする手帳。
【請求項２】
１頁に七曜日のスケジュール記入欄を含む週計単票用紙と、上記週計単票用紙のほぼ２倍の大きさで２つ折り可能な大判用紙とを少なくとも含み、所定の綴じ具により上記大判用紙および上記週計単票用紙がこの順序で綴じられている手帳であって、
上記大判用紙の自由端側半頁の一方の面は綴じ具側半頁の表面側に折り畳まれた際に上記週計単票用紙と見開き状態とされ、上記自由端側半頁の一方の面には月間カレンダーが印刷されており、上記月間カレンダーと上記週計単票用紙に記載されている七曜日のスケジュール記入欄とが突き合わせ状態で同時に視認可能であることを特徴とする手帳。
【請求項３】
上記大判用紙の自由端側半頁は上記綴じ具側半頁の側辺，上辺もしくは下辺のいずれか一辺に連設されていることを特徴とする請求項１または２に記載の手帳。
【請求項４】
名刺を収納する名刺収納部を備えている名刺ホルダを含み、所定枚数の上記名刺ホルダが綴じ具により綴じられている手帳であって、
上記名刺ホルダごとに、上記名刺収納部と１対１で対応するメモ欄を有する名刺管理表が上記綴じ具により綴じられていることを特徴とする手帳。
【手続補正２】
【補正対象書類名】明細書
【補正対象項目名】０００２
【補正方法】変更
【補正の内容】
【０００２】
社会人のほとんどは手帳を携帯しているが、多くの手帳は、まず年間カレンダーがあって、その次に１月の月間カレンダーが綴じられ、その月間カレンダーの次に１ヶ月分の週計表または日計表が閉じられている。この綴じ方は、２月から１２月までも同様である。
【手続補正３】
【補正対象書類名】明細書
【補正対象項目名】０００３
【補正方法】変更
【補正の内容】
【０００３】
しかしながら、従来の手帳では、日計表と月間カレンダーもしくは週計表と月間カレンダーを同時に見ることができないため、例えばスケジュールを決める場合、月間カレンダーを開いて話しをすすめ、そこに用件などを書き込んでしまうことがよくある。
【手続補正４】
【補正対象書類名】明細書
【補正対象項目名】０００４
【補正方法】変更
【補正の内容】
【０００４】
これは、スケジュールが決まったとしても、今開いている月間カレンダーから週計表または日計表にまで頁をめくることが煩わしいことによるもので、特に、片手で受話器を持って電話で話しをしながらスケジュールなどを決める場合によく見られる。このようなことから、従来の手帳では折角の週計表または日計表が余り活用されていない。
【手続補正５】
【補正対象書類名】明細書
【補正対象項目名】０００７
【補正方法】変更
【補正の内容】
【０００７】
したがって、本発明の第１の課題は、月間カレンダー、週計表および日計表を十分に活用できるようにして、行動計画が立てやすく、それに沿ってタイムマネージメントを行うことに習慣性を持たせることができる特にセールスマンに好適な手帳を提供することにある。また、本発明の第２の課題は、名刺による顧客管理を行える名刺ホルダを備えている手帳を提供することにある。
【手続補正６】
【補正対象書類名】明細書
【補正対象項目名】０００８
【補正方法】変更
【補正の内容】
【０００８】
上記第１の課題を解決するため、請求項１に記載の発明は、１日単位での記入欄を含む日計単票用紙と、上記日計単票用紙のほぼ２倍の大きさで２つ折り可能な大判用紙とを少なくとも含み、所定の綴じ具により上記大判用紙および上記日計単票用紙がこの順序で綴じられている手帳であって、上記大判用紙の自由端側半頁の一方の面は綴じ具側半頁の表面側に折り畳まれた際に上記日計単票用紙と見開き状態とされ、上記自由端側半頁の一方の面には月間カレンダーが印刷されており、上記月間カレンダーと上記日計単票用紙に記載されている１日単位での記入欄とが突き合わせ状態で同時に視認可能であることを特徴としている。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
また、上記第１の課題を解決するため、請求項２に記載の発明は、１頁に七曜日のスケジュール記入欄を含む週計単票用紙と、上記週計単票用紙のほぼ２倍の大きさで２つ折り可能な大判用紙とを少なくとも含み、所定の綴じ具により上記大判用紙および上記週計単票用紙がこの順序で綴じられている手帳であって、上記大判用紙の自由端側半頁の一方の面は綴じ具側半頁の表面側に折り畳まれた際に上記週計単票用紙と見開き状態とされ、上記自由端側半頁の一方の面には月間カレンダーが印刷されており、上記月間カレンダーと上記週計単票用紙に記載されている七曜日のスケジュール記入欄とが突き合わせ状態で同時に視認可能であることを特徴としている。
【手続補正９】
【補正対象書類名】明細書
【補正対象項目名】００１１
【補正方法】変更
【補正の内容】
【００１１】
請求項１または２に記載の発明において、請求項３に記載のように、上記大判用紙の自由端側半頁は上記綴じ具側半頁の側辺，上辺もしくは下辺のいずれか一辺に連設されていることを特徴としている。
【手続補正１０】
【補正対象書類名】明細書
【補正対象項目名】００１２
【補正方法】変更
【補正の内容】
【００１２】
上記第２の課題を解決するため、請求項４に記載の発明は、名刺を収納する名刺収納部を備えている名刺ホルダを含み、所定枚数の上記名刺ホルダが綴じ具により綴じられている手帳であって、上記名刺ホルダごとに、上記名刺収納部と１対１で対応するメモ欄を有する名刺管理表が上記綴じ具により綴じられていることを特徴としている。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】変更
【補正の内容】
【００１４】
請求項１に記載の発明によれば、月間カレンダーと日計単票用紙に記載されている１日単位での記載欄とを見開き状態で突き合わせることができるため、月間カレンダーおよび日計表を十分に活用できるようにして行動計画が立てやすく、それに沿ってタイムマネージメントを行うことに習慣性を持たせることができる特にセールスマンに好適な手帳が提供される。
【手続補正１３】
【補正対象書類名】明細書
【補正対象項目名】００１５
【補正方法】変更
【補正の内容】
【００１５】
また、請求項２に記載の発明によれば、月間カレンダーと週計単票用紙に記載されている七曜日のスケジュール記入欄とを見開き状態で突き合わせることができるため、月間カレンダーおよび週計表を十分に活用できるようにして行動計画が立てやすく、それに沿ってタイムマネージメントを行うことに習慣性を持たせることができる特にセールスマンに好適な手帳が提供される。
請求項３に記載の発明によれば、大判用紙の自由端側半頁は綴じ具側半頁の側辺，上辺もしくは下辺のいずれか一辺に連設されているため、自由側半頁を簡単に２つ折りにしたり、開いたりすることができる。
【手続補正１４】
【補正対象書類名】明細書
【補正対象項目名】００１６
【補正方法】変更
【補正の内容】
【００１６】
また、請求項４に記載の発明によれば、例えば見込み客の情報や、次回のアポイント管理を含めて契約至るまでを名刺管理表にて管理することができる名刺ホルダを備えている手帳が提供される。